(57)【要約】【課題】ホールなどの調光システムにおいて、負荷の空間配置イメージに近い形で負荷選択を行なえるようにすることで、作業者の負担を軽減し、作業効率を上げる。また、ＱＲコードの新規有用な使用法を提案する。【解決手段】負荷の空間配置に対応するＱＲコードを読み取るスキャナ２と、スキャナ２が読み取ったＱＲコードにより負荷８−１，８−２，…，８−Ｎを選択する操作卓４とを有する調光システムとした。スキャナ２または操作卓４は、ＱＲコードに対応する負荷名を表示する表示部を有することが好ましい。【選択図】図１
2005158367.tif 000002
【特許請求の範囲】
【請求項１】
負荷の空間配置に対応するＱＲコードを読み取るスキャナと、スキャナが読み取ったＱＲコードにより負荷を選択する操作卓とを有することを特徴とする調光システム。
【請求項２】
請求項１において、ＱＲコードに対応する負荷名を表示する表示部を有することを特徴とする調光システム。
【発明の詳細な説明】
【技術分野】
【０００１】
本発明は、ホール・会館・ホテル宴会場など、複数の照明回路からなる調光システムに関するものである。
【背景技術】
【０００２】
従来、負荷を選択する場合、テンキーやカーソルによる番号選択で行なっていた。このため、日替わり公演と言われる毎日演目の異なることが多い日本のホール、会館では、特にそのホール、会館に慣れない外来作業者（外部の照明オペレータ）にとって、負荷選択作業はやりづらいものであった。
【０００３】
作業者（照明オペレータ）は、実際の負荷とその回路番号を一致させるため、別途、負荷の空間配置を摸して番号を配置した負荷表（図８）を参照しながら、負荷を番号に変換して操作していた。現場では、負荷を特定する場合、「このスポットライト」と指し示したり、仲間内で通用する固有名称で伝えられたりする。その指示を受けて、作業者は、負荷表の番号を確認し、テンキー入力による負荷選択を行っていた。そのため、作業性が悪く、もっと分かりやすい負荷選択方法が求められていた。
【０００４】
一方、従来から商品管理や店舗会計システムにバーコードが広く普及しているが、１次元コードであるため情報量が少なく、寸法も横に長くなる。近年、情報量が多く、省スペースでも表示可能なＱＲコードが規格化され、実用化されている。ＱＲコードは、バーコードの市場に加え、上記の特長から新しい使用方法が模索されている。
なお、特許文献１には、ＱＲコードとこれを読み取るコードスキャナについて開示されている。
【特許文献１】特開２００３−１４１４４１号公報
【発明の開示】
【発明が解決しようとする課題】
【０００５】
本発明は、ホールなどの調光システムにおいて、負荷の空間配置イメージに近い形で負荷選択を行なえるようにすることで、作業者の負担を軽減し、作業効率を上げることを目的とする。
【０００６】
また、ＱＲコードを、従来とは異なる使用方法、つまり、実際の機器が配置されている空間イメージに従って固有の機器を選択するために使用することで、番号選択からイメージ選択を可能にするものである。
【課題を解決するための手段】
【０００７】
本発明の調光システムによれば、図１に示すように、負荷の空間配置に対応するＱＲコードを読み取るスキャナ２と、スキャナ２が読み取ったＱＲコードにより負荷８−１，８−２，…，８−Ｎを選択する操作卓４とを有することを特徴とする。スキャナ２または操作卓４は、ＱＲコードに対応する負荷名を表示する表示部を有することが好ましい。
【発明の効果】
【０００８】
本発明によれば、ホールなどの調光システムにおいて、負荷の空間配置イメージに近い形で負荷選択を行なえるようにすることで、作業者の負担を軽減し、作業効率を上げることができる。すなわち、従来ならば照明オペレータが頭の中で一旦空間イメージを描いてから番号に変換する必要があった作業を省略できるようにしたことにより、作業効率が上がり、また余分な思考をせずにすむため、照明オペレータの最も重要な仕事である芸術的光の創造に専念できるようになる利点がある。
【発明を実施するための最良の形態】
【０００９】
図１に本発明の調光システムの構成を示す。図中、１は負荷表、２はスキャナ、３はシリアル信号線、４は操作卓、５は調光信号線、６は調光装置、７−１〜７−Ｎは負荷出力線（ランプ電源）、８は負荷（照明器具）である。
【００１０】
負荷表１の構成例を図２に示す。図８に示す従来の負荷表では、負荷（照明器具）を番号で表示していたのに対して、図２に示す本発明の負荷表では、負荷の空間配置を摸してＱＲコードを配置したものとなっている。本発明の調光システムは、このような負荷表１を付属物として有し、ＱＲコード読取用のスキャナ２をＲＳ２３２ＣやＵＳＢなどのシリアル信号線３で接続された操作卓４を備えている。
【００１１】
操作卓４の構成例を図３に示す。図中、４０はＣＰＵ、４１はＲＯＭ、４２はＲＡＭ、４３は調光信号出力部、４４はパッチデータレジスタ、４５は負荷選択処理部、４６は入出力部、４７はスイッチ、４８は表示器、４９はブザーである。パッチデータレジスタ４４は、負荷（照明器具）と回路番号を関連付けるパッチデータを格納している。
【００１２】
この操作卓４と調光信号線５を介して接続された調光装置６の構成例を図４に示す。図中、６１は制御部、６２は調光器、６３は電源主幹、６４は電源である。調光装置６からは負荷出力線７−１，７−２，…，７−Ｎが負荷である照明器具８−１，８−２，…，８−Ｎまで配線されている。
【００１３】
負荷表１のＱＲコードをスキャナ２で読込むと、負荷の点灯状態を変更することができる。以下、その動作を図５に従って説明する。まず、スキャナによるＱＲコード読取が完了すると、シリアル信号線にて操作卓へ通知される。操作卓は、シリアル信号を受け、「スキャナ信号入力あり」の判定を行なう。信号入力ありの場合、「データ有効」の判定を行なう。ＱＲコードは規格化された汎用コードであるため、安全を確保するため、ＱＲコードの暗号キー機能などを用いて本システムのコードとして正しいこと、つまり間違って他システムのＱＲコードを読んでいないか確認する。データが有効でない場合には、処理を終了する。
【００１４】
データが有効な場合、負荷選択データを更新し、パッチデータレジスタを参照し、回路番号選択データを更新する。さらに、スキャナ読取成功をユーザーに通知するため、ブザーフラグをＯＮとし、負荷選択表示変更フラグをＯＮとする。これらの処理は、ブザーの場合は時間管理が必要であり、表示には時間がかかるため、別プロセス（別タスク）に処理をまかせるため、要求フラグをＯＮにするものである。さらに、負荷点灯状態を変更するため、調光出力データ変更フラグをＯＮにする。
【実施例１】
【００１５】
図６に本発明の実施例１を示す。本実施例は、上述の基本構成に加えて、無線にて負荷選択操作を可能とする機能を追加したシステムである。図中、１〜８は図１と同様であり、９は無線操作器、１０は無線受信器である。
【００１６】
無線操作器９は、ＱＲコード読取用のスキャナ２を内蔵しており、表示器、スイッチを備える無線送信器付操作器である。操作卓４には、その無線電波を受信できる無線受信器１０が接続されている。その他の構成は図１と同様である。本実施例によれば、作業者（照明オペレータ）が操作卓４から離れた場所に居ても操作が可能となる。
【００１７】
なお、スキャナ２を内蔵した無線操作器９は、アプリケーションプログラムを組み込み可能な汎用品（商品名：無線ハンディターミナルなど）とし、本システム用アプリケーションが組み込まれたものとする。
【実施例２】
【００１８】
図７に本発明の実施例２を示す。本実施例は、上述の基本構成に加えて、操作卓４または無線操作器９に、ＱＲコードに対応する負荷名を表示することで、作業者にとって、より判りやすく、誤操作防止機能を付加したシステムである。
【００１９】
以下、図７に従って動作説明を行なう。図７は図６の無線操作器９の動作を示している。スキャナ２によるＱＲコード読取が完了すると、アプリケーション部へ通知されて処理が開始される。アプリケーション部は、シリアル信号を受けて「スキャナ信号入力あり」の判定を行なう。信号入力ありの場合、上述の「データ有効」の判定を行なう。データが有効な場合、スキャナ読取成功をユーザーに通知するため、スキャナ選択を受け付けた旨を知らせるブザーフラグをＯＮとし、負荷名称表示処理を行なう。
【００２０】
負荷名称表示処理の完了後、誤操作防止のため、作業者からの確認キー入力を待つ。確認キー入力ありの場合、負荷選択確定表示を行い、負荷選択データ送信処理を行なう。データ送信が完了した後、表示クリア処理を行なう。キャンセルキー入力ありの場合、負荷選択確定表示と負荷選択データ送信処理は行なわずに、表示クリア処理を行なう。
【産業上の利用可能性】
【００２１】
本発明の調光システムは、劇場の舞台照明やホール・会館・ホテル宴会場などの演出照明に利用することができる。
【図面の簡単な説明】
【００２２】
【図１】本発明の調光システムの概略構成図である。
【図２】本発明の調光システムに用いる負荷表の構成を示す説明図である。
【図３】本発明の調光システムに用いる操作卓の構成例を示すブロック図である。
【図４】本発明の調光システムに用いる調光装置の構成例を示すブロック図である。
【図５】本発明の調光システムの動作を示すフローチャートである。
【図６】本発明の実施例１の概略構成図である。
【図７】本発明の実施例２の動作を示すフローチャートである。
【図８】従来の負荷表の構成を示す説明図である。
【符号の説明】
【００２３】
１  負荷表
２  スキャナ
４  操作卓
６  調光装置
【図１】
2005158367.tif 000003
【図２】
2005158367.tif 000004
【図３】
2005158367.tif 000005
【図４】
2005158367.tif 000006
【図５】
2005158367.tif 000007
【図６】
2005158367.tif 000008
【図７】
2005158367.tif 000009
【図８】
2005158367.tif 000010